(57)【要約】【課題】  本発明は、特定の躯体に要する鉄筋の加工手間について、特に曲げ回数及び切断回数を正確に算出し、単位重量あたりの鉄筋の加工コストを正確且つ効率的に予測できる工事手間見積りシステムを提供することにある。【解決手段】  コンピュータに、躯体に使用される切寸材の径、切寸法及び本数、並びに鉄筋形状１２２，１３１とを組み合わせた切寸材情報１２を設定する指定情報提供手段８と、前記切寸材情報１２から抽出した切寸法情報によって、適切な長さの定尺材を割り当てるパターンを記したルール１４０に基づき、一意的に特定される定尺材情報１３を出力する参照情報提供手段７と、前記指定情報提供手段８から提供を受けた切寸材情報１２における該当切寸材の曲げ回数値及び切断回数値を累計し、工事手間を算出する集計手段とを具備することを特徴とする。【特許請求の範囲】
【請求項１】
コンピュータに、躯体に使用される切寸材の径、切寸法及び本数、並びに鉄筋形状（１２２，１３１）とを組み合わせた切寸材情報（１２）を設定する指定情報提供手段（８）と、前記切寸材情報（１２）から抽出した切寸法情報によって、適切な長さの定尺材を割り当てるパターンを記したルール（１４０）に基づき、一意的に特定される定尺材情報（１３）を出力する参照情報提供手段（７）と、前記指定情報提供手段（８）から提供を受けた切寸材情報（１２）における該当切寸材の曲げ回数値及び切断回数値を累計し、工事手間を算出する集計手段（３）とを具備することを特徴とする工事手間見積りシステム。
【請求項２】
前記集計手段（３）は、算出された総曲げ回数値及び総切断回数値を、前記参照情報提供手段（７）で得られた使用定尺材の総重量値で割ることで、単位重量あたりの工事手間を算出する機能を具備することを特徴とする請求項１記載の工事手間見積りシステム。
【請求項３】
前記指定情報提供手段（８）における切寸材情報（１２）の入力を促す切寸材ＤＢ（１０）構築手段（１５０，Ｅ）を、また前記参照情報提供手段（７）における定尺材情報（１３）の入力を促す定尺材ＤＢ（１１）構築手段（１００）を、それぞれ具備していることを特徴とする請求項１又は２記載の工事手間見積りシステム。
【請求項４】
前記切寸材情報（１２）は、切寸材の鉄筋形状（１２２）情報をベクトルデータとして保存していることを特徴とする請求項１、２又は３記載の工事手間見積りシステム。
【請求項５】
前記切寸材情報（１２）は、切寸材の鉄筋形状（１３１）情報をラスタデータとして保存していることを特徴とする請求項１、２、３又は４記載の工事手間見積りシステム。
【発明の詳細な説明】
【技術分野】
【０００１】
本発明は、特定の躯体における工事手間、特に鉄筋の曲げ加工、切断加工による工事手間を、設計者或いはクライアント側が予め算出し、把握するための工事手間見積りシステムに関する。
【背景技術】
【０００２】
従来、クライアントからの依頼物件の受注時、この物件に使用する種々の鉄筋の加工に掛かる工事手間や、あるいは計上コストの見積りに関しては、使用する鉄筋の径種別毎、あるいは物件全体に使用する鉄筋総重量を元に、設計者側で算出がなされていた。また、クライアント側にコストの詳細内容の見積りを求められた場合には、使用予定の鉄筋を一点づつ従来の類似部品と比較したり、または鉄筋加工請負業者に見積りをとる等し、逐一加工コストの算出を行い、算出されたコストを個々に積上げて、最終的に全てのコストの集計を実施するものであった。
【特許文献１】特開平８−２９２９７２号公報
【発明の開示】
【発明が解決しようとする課題】
【０００３】
前述のように、物件或いは使用する鉄筋の総重量からコストを算出した場合、切出した切寸材個々に施した曲げ加工や切断加工に要する加工コストを予測できないことから、詳細なコスト計算が行えなかった。この結果、クライアント側は正確な加工コストを把握することなく、発注物件の完成後に実際の費用を請求された場合には、当初見積りとの誤差が大きくなり、これに伴って着工後、使用定尺材のロスも大きくなり、これがあらぬトラブルを招く問題点があった。また、着工前に加工手間のコストが把握できないことから、例えば、設計時の鉄筋形状等の変更に伴うコストの変動を把握することができず、加工コストの見積りは、予想単価のみの算出をせざるを得ないものであった。そこで、鉄筋の加工請負業者に依頼して、正確な加工コストの把握に着手しようとしても、他者を交えるために見積りの回収に手間と時間がかかることから、結局は設計者側において、前述した鉄筋のロスを見越した所謂「どんぶり勘定」的な見積りがなされているのが現状であった。
【０００４】
本発明は、躯体に要する鉄筋の加工手間について、特にその中でも曲げ回数及び切断回数を正確に算出し、単位重量あたりの鉄筋の加工コストを正確且つ効率的に予測できる工事手間見積りシステムを提供することにある。
【課題を解決するための手段】
【０００５】
本発明のうち請求項１記載の発明は、コンピュータに、躯体に使用される切寸材の径、切寸法及び本数、並びに鉄筋形状とを組み合わせた切寸材情報を設定する指定情報提供手段と、前記切寸材情報から抽出した切寸法情報によって、適切な長さの定尺材を割り当てるパターンを記したルールに基づき、一意的に特定される定尺材情報を出力する参照情報提供手段と、前記指定情報提供手段から提供を受けた切寸材情報における該当切寸材の曲げ回数値及び切断回数値を累計し、工事手間を算出する集計手段とを具備することを特徴とする。また、請求項２記載の発明では、前記集計手段は、算出された総曲げ回数値及び総切断回数値を、前記参照情報提供手段で得られた使用定尺材の総重量値で割ることで、単位重量あたりの工事手間を算出する機能を具備することを特徴とする。
【０００６】
切寸材情報とは、躯体に使用する切寸材を径種別に分類し、種々に鉄筋形状情報、曲げ回数、鉄筋の径、材質、切寸法、本数、切り出し元となる定尺材の寸法、躯体における使用個所名等の情報を格納したデータであり、さらに径種別に区分けされた種々の切寸材情報群は、部材名称等の検索条件で纏められるＤＢ（DataBaseの略意）の構築がなされている。
【０００７】
定尺材情報とは、切寸材の取り出し元となる定尺材に関する情報、つまり鉄筋の長さや鉄筋重量、所定切寸法における切寸材の取数等の情報を示すものであり、さらに当該定尺材情報は、切寸法により種々用意されるものであるから、「切寸法」、「定尺材長」、「取数」等の条件で振り分けられたＤＢの構築がなされている。またルールとは、切寸材の切寸法と本数との組み合わせから一意的に定まる定尺材の取出しのパターンを記したものであり、例えば「切寸法１００ｍｍの切寸材を取り出す場合、長さ４０００ｍｍの定尺材から４０本取る」と、いった旨の事項を取り決めたものである。
【０００８】
集計手段は、切寸材ＤＢに保存されている全て、或いは指定範囲内に該当する切寸材情報における「曲げ回数」、「切断回数」をそれぞれ累計し、この累計値を、切寸材の取り出し元となった全ての定尺材の総重量で割ることで、単位重量あたりの「曲げ回数」、「切断回数」を算出するための処理を行うものである。また前記集計手段は具体的に、本システム内のＣＰＵ又はＭＰＵ（超小型演算処理装置）に依存するものであり、参照情報提供手段においても、前述のルールに乗っ取り、切寸材の取り出し元となる定尺材（定尺材情報）の特定を行うといった処理が任せられている。
【０００９】
また切寸材の「曲げ回数」については、当該切寸材の鉄筋形状情報、或いはキー入力された曲げ回数をカウントした数値データから判定され、例えばコ字型に加工された切寸材であれば、この鉄筋形状情報においては曲げ個所が２個所となるから、曲げ回数「２」とカウントされ、切寸材ＤＢに保存された該当切寸材情報が更新される。さらに切断回数についても同様に、切寸材の本数が切断回数となるが、例外的に定尺材から切寸材を取った際の残材が存在しない場合にのみ、１本の定尺材から１回の切断加工で２本の切寸材が得られることから、「切寸材の本数−１」が切断回数としてカウントされ、前記該当切寸材情報を更新する。
【００１０】
以上、本構成のシステムの場合、まず指定情報提供手段では、切寸材ＤＢに保存された任意の切寸材情報から、切寸材の鉄筋形状に基づく「曲げ回数」、「径」、「切寸法」、「本数」、「躯体への適用個所数」を導き出す。一方参照情報提供手段では、前述の「切寸法」を基に、ルールＤＢに保存された種々のルールの中から切寸法の記述の適合するルールを特定し、定尺材からの切寸材の「割数」を得て、前記切寸材情報に対して「割数」と「本数」とをフィードバックする。そして集計手段においては、躯体に使用する全ての切寸材について、この切寸材に該当する全ての切寸材情報から「切断回数」と「曲げ回数」とを抽出し、これを累計して、各累計値を、定尺材ＤＢから躯体に使用した全ての定尺材の重量を抽出し、ここで合算した総重量値で割る演算を行って、単位重量あたりの「切断回数」、「曲げ回数」から割り出される加工手間を算出する。
【００１１】
本発明のうち請求項３記載の発明は、前記指定情報提供手段における切寸材情報の入力を促す切寸材ＤＢ構築手段を、また前記参照情報提供手段における定尺材情報の入力を促す定尺材ＤＢ構築手段を、それぞれ具備しているので、本システム利用者は例えば、ディスプレイ装置の画面上に訪れた定尺材情報又は切寸材情報の入力用フォーム画面に対し、該当する情報を入力することにより、定尺材情報群、切寸材情報群が所定の条件に振り分けられて各ＤＢが構築される。また各ＤＢに既存する定尺材情報及び切寸材情報の更新についても自由に行える。
【００１２】
切寸材及び定尺材の各ＤＢ構築手段は、定尺材情報及び切寸材情報の追加・更新を行えるモジュールであればよく、具体的にはディスプレイ装置に、定尺材及び切寸材の各情報の入力用フォーム画面を表示し、本システム利用者に対してマウスやキーボードからのキー入力を促したり、或いはフロッピー（登録商標）ディスク、ＣＤ-ＲＯＭ、ＤＶＤ-ＲＯＭ等の外部記憶メディアに保存された新規の定尺材情報及び切寸材情報を、本システム側の該当各ＤＢに複製し、既存情報への追加・更新をする手法等がとられている。さらに本システム内に読み込まれた定尺材情報及び切寸材情報は、画面上において利用者側に都合のよい表示態様に編集することもできる。
【００１３】
本発明のうち請求項４記載の発明では、前記切寸材情報は、鉄筋形状情報をベクトルデータで保存され、また請求項５記載の発明では、前記切寸材情報は、鉄筋形状情報をラスタデータとして保存されている。
ここでまず、鉄筋形状情報がベクトルデータとして保存される場合、画面上に表示された座標軸上において、マウスのドラッグによって描画された場合、描画中の線分の数がそのまま曲げ回数としてカウントされ、これに従って切寸材情報の鉄筋形状情報の追加・更新が行われる。また前述のように入力された鉄筋形状情報は、利用者側に訪れる画面上では、表示された鉄筋加工帳中にベクタ・グラフィックスとして反映される。次に鉄筋形状情報をラスタデータとして保存される場合には、マウスのポインティング作業による鉄筋形状図形の入力の受付は勿論、他メディアからの鉄筋形状情報の読み込み等により、切寸材情報における鉄筋形状情報を示し、さらに利用者に訪れる画面上では、鉄筋形状情報がラスタ・グラフィックスとして鉄筋加工帳において反映され、さらに前記鉄筋加工帳の所定の個所に曲げ回数を入力することで、切寸材情報を更新する。
尚、前記鉄筋加工帳とは、切寸材情報を画面上に表示した際にシステム利用者側に訪れる画面の表示物を指す。
【００１４】
ここでベクトルデータとは、マウスでドラッグされる描画データを連続した線分として扱ったものであり具体的には、.dxf、.eps等のデータ形式で、画面上では、べクタ・グラフィックスとして表示されるものであり、線分のベクトルが変化すると２線分（２つのデータ）として扱われる。一方のラスタデータとは、例えばフォトデータのようなドットの集合体であり、具体的には.bmp形式、.jpg形式等の汎用なデータ形式が挙げられ、画面上ではラスタ・グラフィックスとして表示される。
【発明の効果】
【００１５】
本発明によれば、躯体の特定個所に使用される切寸材情報、そして、当該各切寸材を取り出す定尺材の総重量から、単位重量あたりの鉄筋の切断回数及び曲げ回数を割り出し、躯体全体又は単位重量あたりの加工手間を予測できるので、設計者はクライアント側により正確な見積りを提供できる。
【００１６】
また、定尺材からの切寸材の取り出しのパターンを予め設定したルールに基づいて導き、鉄筋加工帳に反映させるものであるから、鉄筋のロスを飛躍的に減らすことができ、建設コストの節約に寄与できる。
【００１７】
また、本発明のうち請求項４及び請求項５記載の発明によれば、利用者は画面を通して、鉄筋加工帳の内容を確認しやすくなり、特にベクトルデータで保存してあれば、鉄筋形状の入力に伴って曲げ回数も同時に割り出されるので、切寸材情報の更新作業も容易に行える。
【発明を実施するための最良の形態】
【００１８】
次に各図面を参照して、本発明の工事手間見積りシステムの説明を行う。
【００１９】
＜システムの概要＞
図１０は、本実施形態の工事手間見積りシステムの構成を示したものであり、このシステムは、定尺材情報１３群を保存した定尺材ＤＢ１１、切寸材の切寸法に基づく取出し元となる定尺材の特定を行うためのルール１４０を保存したルールＤＢ１５、切寸材情報１２を保存した切寸材ＤＢ１０、各ＤＢ１０，１１，１５を格納したＨＤＤ２、そして前記各ＤＢ１０，１１，１５から取得した切寸材情報１２及び定尺材情報１３に基づき、工事手間を算出するための集計手段となるＣＰＵ３、利用者に訪れる各画面を表示するディスプレイ装置５、そして、上記各ＤＢ１０，１１，１５及び集計手段３に接続されるキーボード及びマウス６から、一纏まりのシステムを構築している。
尚、符号４はモデム・ＬＡＮポート、符号９はＣＤ-ＲＯＭ、ＤＶＤ-ＲＯＭ等のドライブ装置であり、これらはシステム１外からの切寸材情報１２、定尺材情報１３を取り込む手段となる。
【００２０】
また参照情報提供手段７（以下、参照モジュール）は、任意の１切寸材情報１２の「切寸法」情報及び「本数」を抽出し、ルールＤＢ１５の定尺材割り出しパターン（ルール１４０）において照合し、定尺材ＤＢ１１から該当する定尺材情報１３を特定し、これを切寸材情報１２に反映させる処理が行える例えばＣＡＤやＣＡＭ、表計算ソフトウェア等の一般に汎用されるモジュール（図示省略）が使用されている。
【００２１】
さらに指定情報提供手段８（以下、指定モジュールと記す）は、切寸材情報１２を構成する各種詳細情報（例えば「鉄筋形状」、「径」、「切寸法」等）を構築し、後述する加工手間の算出に必要な各種情報を提供するものであり、前記参照モジュール７と同様のモジュール（図示省略）が使用されている。
尚、参照モジュール７と指定モジュール８とは、共通のモジュールを用いることも可能である。
【００２２】
次に切寸材ＤＢ１０は、特定の躯体毎に適用される様々な種類の切寸材に関わる諸データを示す鉄筋加工票Ｅとして保存するものである。
ここで切寸材ＤＢ１０への切寸材に関わる各種項目の入力は、図３のような編集画面Ａで行われ、この画面Ａでは、「工事の種類」１１０、「階数更新」１１１、「部材選択」１１２などの項目を更新し、次いで切寸材情報１２の入力に移る。そして図８のように、切寸材の鉄筋形状、切寸法、本数、適用個所数、取り出し元となる定尺材長、当該定尺材からの切寸材の取数について、径種別毎に羅列した切寸材のリストを形成するが、この際、鉄筋の形状情報の入力については図６のように、画面に表示された座標軸１２１において、マウス６のドラッグ及びポインティングによる描画（ベクタ・グラフィックス）として保存されており、このベクタ・グラフィックス１２２による図面保存により、座標軸１２１上に描画された線分の数によって鉄筋の曲げ回数が割り出されることで、前記鉄筋加工票Ｅの作成に必要な情報入力を支援して作業の効率化に寄与している。
尚、前述の「鉄筋形状情報」１２２の入力手法については、図７のような「鉄筋形状情報」１３１を示すドット構成図面（ラスタ・グラフィックス）を保存することもできる。
【００２３】
まず定尺材情報１３は、定尺材の径、部材名称・品番、本数、割数といった定尺材に関する様々な情報を示すものである。また、定尺材ＤＢ１１については、躯体において必要とする切寸材の取り出しに要する全ての種類（径、定尺材寸法により種別される）の定尺材情報１３群を保存している。さらに前記定尺材情報１３は、前述の切寸材情報１２に含まれる切寸法において、参照モジュール７によって導き出される定尺材に関する各種情報を示すものであり、この定尺材情報１３を一意的に特定する手段として図４のように、所定切寸法の切寸材を定尺材から取り出すパターンを示すルール１４０群をルールＤＢ１５に格納している。そして前記ルール１４０は例えば、切寸法が０〜９９ｍｍの範囲内であれば、定尺材長５０００ｍｍのものを参照モジュール７が選定し、また切寸法が２５０〜２９９ｍｍの範囲内であれば、定尺材長６０００ｍｍのものを参照モジュール７が選定するような取り決めを示したものである。さらに、前記参照モジュール７では該ルール１４０を参照して、切寸材の取り出し元となる定尺材情報１３を特定し、定尺材からの切寸材の「取数」を算出する。
【００２４】
次に集計手段３は、システムに内蔵されたＣＰＵ又はＭＰＵ等に依存するものであり、前述した切寸材ＤＢ１０と定尺材ＤＢ１１とからそれぞれ入手した切寸材情報１２及び定尺材情報１３に基づく、「曲げ回数」、「切断回数」を抽出し、単位重量あたりの「曲げ回数」、「切断回数」を算出するような処理を行う。
【００２５】
＜工事手間の算出手順＞
次に参照モジュール７と指定モジュール８とによる集計手段３の制御で、切寸材ＤＢ１０、定尺材ＤＢ１１の双方から導かれた切寸材情報１２に基づき、以下の手順を踏むことで、単位重量あたりの曲げ回数・切断回数が導出される（図１参照）。
【００２６】
まず第１の処理として、集計手段３が機能して前記切寸材ＤＢ１０から任意の切寸材情報１２を１つ取得し、この切寸材情報１２から前記指定モジュール８が抽出した「定尺材から取り出した切寸材の本数×躯体への適用個所数」の演算により「総切寸本数」値を得、また「切寸材の曲げ回数×切寸材の総本数」の演算により「総曲げ回数」値を得、また「定尺材長／切寸法」の演算により定尺材からの切寸材の「取数」値を得る。
【００２７】
次処理として、前述した「定尺材長／切寸法の演算」において余りの「ある・なし」による集計手段３の判断により、いずれかの次処理へと選択される。まず余りがある場合は、前記「切寸材の総本数」値から「総切断回数」値、「定尺材長×定尺材の本数×定尺材の重量」の演算から「定尺材の総重量」値を得る処理が集計手段３にて行われる。一方の余りのない場合には、集計手段３が「全ての切寸法の累計」値と「取り出した全ての定尺材の累計」値とを比べ、一致するか否かの検討をする処理が行われる。ここで一致する場合には「切寸材総本数−定尺材総本数」の演算から「総切断回数」値を得、また一致しない場合には「（切寸材総本数−定尺材総本数）＋１」から「総切断回数」値を得て、この余りの「ある・なし」に基づく、選択されたいずれかの処理が行なわれた後、集計手段３では、前記定尺材の総重量を算出する処理へと移行する。
【００２８】
次に、前述の集計手段３による各処理で得られた「総曲げ回数」値、「総切断回数」値、「定尺材の総重量」値を鉄筋の径種別毎にコンピュータのメモリに保存し、切寸材ＤＢ１０に、いまだ未処理の切寸材情報１２が存在していれば、再び切寸材ＤＢ１０内に残る切寸材情報１２を集計手段３が抽出して、前述した第１の処理に戻って繰り返し同一の処理を順次行う。また切寸材ＤＢ１０に未処理の切寸材情報１２が存在しなければ、集計手段３では「曲げ回数の累計値／定尺材総重量値」から単位重量あたりの「曲げ回数」を算出し、さらに「切断回数の累計値／定尺材総重量値」から単位重量あたりの「切断回数」を算出し、「工事手間予測集計結果」１６０としてディスプレイ装置５の画面に反映し、最終的に、単位重量あたりの「曲げ回数・切断回数」に基づく工事手間を算出するための処理を終了する。
【００２９】
前述の集計手段３の処理によって単位重量あたりの工事手間が算出されるものであるが、ユーザーインターフェース側、つまりは本システムの利用者側に訪れる画面上においての動作手順を説明する。
そしてユーザーインターフェース側では図２のような手順で、切寸材ＤＢ１０と定尺材ＤＢ１１に基づく鉄筋加工帳Ｅが作成されるが、以下、前記フローに基づいて説明を行う
【００３０】
＜ユーザーインターフェース側＞
図３は、本システム１でのメニュー画面Ａを示しており、この画面Ａは、システム１に接続している端末からアクセスしたときに、まず始めに利用者側に訪れる画面を示すものである。
そしてメニュー画面Ａには、「物件名」、「工事更新」１１０、「階数更新」１１１、「部材選択」１１２の各情報を入力するフォームがあり、これらの項目の入力が順次なされれば、「加工帳入力」１１４ボタン及び「使用数量明細」１１５ボタンをマウス操作でクリックし、ここから具体的な定尺材ＤＢ１１の構築ステップに移行する。
【００３１】
次にＢのステップでは、定尺材ＤＢ１１に格納された図４に示す「ルール」１４０に基づく、切寸材の切寸法毎の定尺材の「取数」のパターンが、図５のような定尺取票画面としてシステム利用者側の画面に訪れる。例えば、切寸法が５０ｍｍであれば５０００ｍｍの定尺材からの取数が１００本となり、また１５５０ｍｍであれば、同じく５０００ｍｍの定尺材からの取数は３本となるように、参照モジュール７では画面１００上で促された切寸材の定尺材からの取出のパターンを選定し、以後説明する鉄筋加工票Ｅの作成に反映させる。
【００３２】
また、この画面１００は定尺材情報１３の追加・更新といった編集作業ができ、具体的には鉄筋の「径選択」１０１ボタン、定尺材情報１３を定尺材ＤＢ１１に読込ませるための「読込」ボタン１０２、又は既存の定尺材情報１３を更新する「編集」ボタン１０３、そして既存の定尺材情報１３への新規情報追加を行う「一行挿入」ボタン１０４、既存定尺材情報１３の削除を行う「一行削除」ボタン１０５、作業の「終了」ボタン１０６をそれぞれ具備している。
【００３３】
次にＣのステップでは図６のように、指定モジュール８によって、切寸材の「鉄筋形状情報」１２２をシステム利用者側からの描画を可能とするための画面１２０が表示される。さらにこの画面１２０では、マウスのドラッグ及びポインティングによって、描画可能な「鉄筋形状情報」１２２を示すベクタ・グラフィックスを作成、及び前記「鉄筋形状情報」を切寸材情報１２として、切寸材ＤＢ１０に保存するための処理が指定モジュール８において行われる。
具体的には、画面１２０上に座標軸ページ１２１が表示され、この座標軸ページ１２１上に、システム利用者がマウス等のデバイスにより、ドラッグ及びポインティングしていくことで、「鉄筋形状情報」１２２が自在にカスタマイズされ、これを切寸材ＤＢ１０に保存することで、切寸材情報１２においても反映され、これと同時に、画面１５０上の鉄筋加工票Ｅにおいても、鉄筋形状の図形表示状態に反映される。
【００３４】
またＤのステップは、指定モジュール８によって、画面１３０上において「鉄筋形状情報」１３１をラスタ・グラフィックスで表示するものであり、これは前記Ｃのステップの別形態を示すものである。
この場合、切寸材情報１２における「鉄筋形状情報」１３１は、例えば.jpg、.bmp等のラスタデータ形式で切寸材ＤＢ１０に保存されており、画面１３０上では鉄筋加工票Ｅにおける所定の個所にアップロードされる。そして、「鉄筋形状情報」１３１の表示個所の近傍には、定尺材の曲げ回数の入力を促すフォーム１３２も同時に表示される。さらに、この画面１３０の下部には、「画像の読込」ボタン１３３も表示してあり、自端末のＨＤＤ2、ＣＤ-ＲＯＭやＤＶＤ-ＲＯＭ等の外部記憶メディア４，９、インターネット網(モデム装置・ＬＡＮポート４を介して取得)等に保存された画像情報を取り込むことも可能となっている。
尚、画面１２０及び画面１３０中の「終了」ボタン１２３，１３４は、画面中の作業を終了させるためのものである。
【００３５】
次にＥのステップでは、前記Ａ〜Ｅのステップを経て得られた各情報により、図８のような鉄筋加工帳Ｅが作成される。
この鉄筋加工帳Ｅ表示画面１５０では、「切寸材の固有名称」、「鉄筋形状情報」、「径」、「切寸」、「切寸材の本数」、「個所数」、「必要本数」、「定尺材の寸法」、「定尺材の割数」、「定尺材の本数」、「圧接」の各項目情報が切寸材情報１２として反映されている。
そして、得られた切寸材情報１２から工事手間を算出するべく種々の情報が示されており、工事手間の算出時には、参照モジュール７及び指定モジュール８に制御された集計手段３によって、この切寸材ＤＢ１０に蓄積されたすべての切寸材情報１２について、「曲げ回数」値及び「切断回数」値が算出され、結果として単位重量あたりの「総曲げ回数」値、「総切断回数」値が導出される。
【００３６】
そして図９は、集計手段３による前記各処理を経てディスプレイ装置・プリンタ装置５から出力された集計結果１６０を示すものである。ここでは、該当工事個所の「総曲げ回数」と「総切断回数」、及び使用定尺材の「総重量」値が示され、「回数／重量」の項目において、単位重量あたりの鉄筋の「切断回数」値、「曲げ回数」値が表示されている。
【図面の簡単な説明】
【００３７】
【図１】本発明の加工手間見積りシステムの工事手間算出にかかる処理手順を示すフローチャート図である。
【図２】本発明の加工手間見積りシステムのユーザーインターフェース側の処理手順を示すフローチャート図である。
【図３】本発明の加工手間見積りシステムの利用者側に訪れるメニュー画面である。
【図４】本発明の定尺材割出しのルール開示画面を示す説明図である。
【図５】本発明の定尺取票画面を示す説明図である。
【図６】本発明における鉄筋形状情報を入力するためのフォーム画面を示す説明図である。
【図７】同じく、本発明における鉄筋形状情報を入力するためのフォーム画面を示す説明図である。
【図８】本発明の鉄筋加工帳画面を示す説明図である。
【図９】本発明の単位重量あたりの工事手間の集計結果画面を示す説明図である。
【図１０】本発明の工事手間見積りシステムの全体を示すブロック図である。
【符号の説明】
【００３８】
１  システム
３  ＣＰＵ（集計手段）
７  参照モジュール（参照情報提供手段）
８  指定モジュール（指定情報提供手段）
１０  切寸材ＤＢ
１１  定尺材ＤＢ
１２  切寸材情報
１３  定尺材情報
１００  定尺材ＤＢ構築手段
１２２，１３１  鉄筋形状情報
１４０  ルール
１５０，Ｅ  鉄筋加工帳（切寸材ＤＢ構築手段）
【図１】
2005228218.tif 000002
【図２】
2005228218.tif 000003
【図３】
2005228218.tif 000004
【図４】
2005228218.tif 000005
【図５】
2005228218.tif 000006
【図６】
2005228218.tif 000007
【図７】
2005228218.tif 000008
【図８】
2005228218.tif 000009
【図９】
2005228218.tif 000010
【図１０】
2005228218.tif 000011